(57)【要約】【課題】球発射装置で捻りコイルばねの初期捻り角を、工具を用いずに容易に調節する。【解決手段】ベースプレート１０に回転自在に軸支された回転軸１２の一端に固定され、発射位置に供給される遊技球を打撃する打球槌と、回転軸１２に軸方向に圧縮可能な状態で外装された捻りコイルばね１８と、該ばね１８の一端が係止され、回転軸１２に遊嵌された該軸を中心に回動するハンドル側カップ２０と、捻りコイルばね１８の他端が係止された槌側カップ２２と、該カップ２２の外側平坦部に接離可能に配置され、回転軸１２の他端に固定されたカムころ台２６と、該カムころ台に回転可能に軸支されたカムころ２４に当接し、捻りコイルばね１８の付勢力に抗して前記打球槌を後退させ、所定位置で解放するカム３４とを備え、槌側カップ２２の外側平坦部に複数のスリット３０が形成され、且つ、カムころ台２６に、各スリット３０に選択的に係合可能な突起部３２が形成されている。【選択図】図２
2006198006.tif 000002
【特許請求の範囲】
【請求項１】
ベースプレートに回転自在に軸支された回転軸の一端に固定され、発射位置に供給される遊技球を打撃する打球槌と、
前記回転軸に軸方向に圧縮可能な状態で外装された捻りコイルばねと、
該捻りコイルばねの一端が係止され、前記回転軸に遊嵌された該軸を中心に回動するハンドル側カップと、
前記捻りコイルばねの他端が係止された槌側カップと、
該槌側カップの外側平坦部に接離可能に配置され、前記回転軸の他端側に固定された台部材と、
該台部材に回転可能に軸支されたころに当接し、前記捻りコイルばねの付勢力に抗して前記打球槌を後退させ、所定位置で解放するカムとを備えていると共に、
前記槌側カップの外側平坦部に複数の係合部が形成され、且つ、前記台部材に、各係合部に選択的に係合可能な被係合部が形成されていることを特徴とする遊技球発射装置。
【発明の詳細な説明】
【技術分野】
【０００１】
本発明は、遊技機の遊技領域に遊技球を打ち出すための遊技球発射装置に関する。
【背景技術】
【０００２】
一般に、遊技機は、図６にその外観を示すように、球受け皿９１から供給される遊技球を右下に位置する発射装置により、発射レール９２上に打ち出すことにより、該球を遊技盤９３に形成されている遊技領域９４に発射させるようになっている。その際、遊技球の発射速度は、遊技者が図中右下に示してある操作ハンドル９５の回転角度を増減して発射装置の発射力を調整することにより制御される。
【０００３】
このような遊技機に使用される発射装置としては、例えば特許文献１に、図７〜図１０に要部を示すものが開示されている。
【０００４】
この発射装置１０３は、ベースプレート１０４の裏側に、打球槌１０５と、打球槌駆動用モータ１０６と、打球槌１０５を発射位置に停止させるゴム製のストッパ１０７が取付けられている。前記打球槌１０５には、上端に槌先部１０８が設けられ、中間の後側面にカム受けローラ１０９が回転自在に設けられ、下端に回転軸１１０が設けられている。
【０００５】
この回転軸１１０は、ベースプレート１０４に対して打球槌１０５を揺動自在に支持するもので、ベースプレート１０４の表面に筒部１１２を突出させた形状の軸受１１３に回転自在に支持されている。
【０００６】
前記打球槌駆動用モータ１０６の出力軸１１５の先端にはカム１１６が固定され、該カム１１６は前記打球槌１０５のカム受けローラ１０９に当接可能になっている。
【０００７】
一方、ベースプレート１０４の表側には、打球槌１０５の打球力を調節する打力調節ユニット１１７が取付けられ、このユニット１１７は、更に図８において右側に位置するプーリーボックス１１９と、左側に位置する付勢装置１２０とに分けられる。
【０００８】
プーリーボックス１１９は、図９に示したようにベースプレート１０４の表面にビスで固定したケース体１２１と、そのケース体１２１の内部に回転自在に内蔵された原動プーリ１２２及び補助プーリ１２３とからなり、前記原動プーリ１２２にワイヤ１２４の一端を係止させ、更にそのワイヤ１２４を補助プーリ１２３に巻き掛けて外部に引き出すようになっている。
【０００９】
プーリーボックス１１９のケース体１２１の前面には、操作ハンドル９５をジョイントさせるハンドル固定部２１０が突設されており、そのハンドル固定部２１０の中心に前記原動プーリ１２２に達する軸孔１２６が貫設され、詳細説明は省略するが、操作ハンドル９５を取付けることにより、該ハンドル９５で原動プーリ１２２を回転させることが可能になっている。
【００１０】
又、付勢装置１２０は、図９に示したように、槌側カップ１３６と、ハンドル側カップ１３７と、両カップ１３６、１３７をつなぐ捻りコイルばね１３８で構成される。槌側カップ１３６はハンドル側カップ１３７に向けてドラム状の短筒部１３６ａを突設したカップ形状であって、打球槌１０５の回転軸１１０の端部に相対移動不能にビス１３９で締め付けられており、打球槌１０５と一体になって揺動運動を行なう。
【００１１】
前記ハンドル側カップ１３７は、槌側カップ１３６に向けてドラム状の短筒部１３７ａを突設したカップ形状であって、ベースプレート１０４の軸受１１３の筒部１１２の周りに回転自在に遊嵌されている。そして、図７、図９に示すように、その外周のプーリ溝１４０の端部には前記ワイヤ１２４の他端が止着されている。従って、遊技者が操作ハンドル９５を回転すると、その回転操作が操作軸（明示せず）を介して原動プーリ１２２に伝わり、更にその回転がワイヤ１２４を介してハンドル側カップ１３７に伝わる。
【００１２】
前記捻りコイルばね１３８は、ハンドル側カップ１３７と槌側カップ１３６の間に圧縮状態に組み込まれている。この捻りコイルばね１３８には両端に係止部１３８ａ、１３８ｂが屈曲形成されており、一方の係合部１３８ａがハンドル側カップ１３７の止め孔１４１に係合し、他方の係止部１３８ｂが槌側カップ１３６の凹状の止め溝１４２に係止される。
【００１３】
捻りコイルばね１３８は、図７においてハンドル側カップ１３７を時計廻りに、槌側カップ１３６を反時計廻りに付勢するように予め捻りを加えた状態に組み込まれており、その捻りの反発力で打球槌１０５と、操作ハンドル９５を相互に牽引する。なお、前記のように槌側カップ１３６の止め溝１４２は複数本形成されており、そのいずれかを選ぶことにより捻りコイルばね１３８の初期捻り角を変更し、発射力の強さを適宜調節することができる。
【００１４】
【特許文献１】特開２００２−７９８４４５号公報
【発明の開示】
【発明が解決しようとする課題】
【００１５】
しかしながら、前記特許文献１に開示されている遊技球発射装置では、捻りコイルばね１３８の初期捻り角を変更し、発射力を調節する際には、工具を用いて部品を分解し、該ばねの係止部１３８ｂを掛ける止め溝１４２の位置を変える必要があり、特に遊技店でこの変更作業を行なうことは困難であった。
【００１６】
又、発射力を調節する際には、槌側カップに形成された止め溝１４２に係止されている捻りコイルばねの位置が見え難いため、設定されているばね強度が分かり難いという問題点もあった。
【００１７】
本発明は、前記従来の問題点を解決するべくなされたもので、捻りコイルばねの初期捻り角を変更し、遊技球の発射力を調節する際に、工具を使って部品を分解する必要がなく、しかも捻りコイルばねの係止位置を確認することなく、設定されている発射力の強度を容易に把握することができる遊技球発射装置を提供することを課題とする。
【課題を解決するための手段】
【００１８】
本発明は、ベースプレートに回転自在に軸支された回転軸の一端に固定され、発射位置に供給される遊技球を打撃する打球槌と、前記回転軸に軸方向に圧縮可能な状態で外装された捻りコイルばねと、該捻りコイルばねの一端が係止され、前記回転軸に遊嵌された該軸を中心に回動するハンドル側カップと、前記捻りコイルばねの他端が係止された槌側カップと、該槌側カップの外側平坦部に接離可能に配置され、前記回転軸の他端側に固定された台部材と、該台部材に回転可能に軸支されたころに当接し、前記捻りコイルばねの付勢力に抗して前記打球槌を後退させ、所定位置で解放するカムとを備えていると共に、前記槌側カップの外側平坦部に複数の係合部が形成され、且つ、前記台部材に、各係合部に選択的に係合可能な被係合部が形成されているようにしたことにより、前記課題を解決したものである。
【発明の効果】
【００１９】
本発明によれば、捻りコイルばねの他端が係止されている槌側カップの外側平坦部に複数の係合部を形成し、そのいずれかを選択して、該平坦部に接触する台部材に形成した被係合部を係合することにより、任意の発射力に調整できる。その際、捻りコイルばねの軸方向の反発力に抗して槌側カップを押し込むだけで係合部と被係合部の係合を解除できることから、全く工具を使用することなく、捻りコイルばねの初期捻り角を変更することができるため、発射力を容易に調節することができ、しかも、捻りコイルばねの係止位置を１箇所にできるため、その強度を容易に把握することができる。
【発明を実施するための最良の形態】
【００２０】
以下、図面を参照して、本発明の実施の形態について詳細に説明する。
【００２１】
図１は、本発明に係る一実施形態の遊技球発射装置の正面図、図２はその背面図、図３は背面側に形成されている機構部の分解斜視図である。
【００２２】
本実施形態の遊技球発射装置は、ベースプレート１０の前側（遊技者側）に回転自在に軸支された回転軸１２の一端に固定され、発射レール１４（前記図６に示した発射レール９４）に形成されている発射（打撃）位置に供給される遊技球Ｂを打撃する打球槌１６を備えている。
【００２３】
又、ベースプレート１０の裏側には、前記回転軸１２に軸方向に圧縮可能な状態で外装された捻りコイルばね１８と、該捻りコイルばね１８の一端が係止され、前記回転軸１２に遊嵌された該軸を中心に回動するハンドル側カップ２０と、該捻りコイルばね１８の他端が係止された槌側カップ２２とが取付けられている。
【００２４】
この槌側カップ２２は、外側に平坦部を有するカップ形状からなり、該平坦部に対して、先端部にカムころ２４が回転可能に軸支されているカムころ台（台部材）２６が、接離可能な状態で、前記回転軸１２の他端部にナット１２Ａにより固定されている。なお、カムころ台２６が固定されている回転軸１２にはカムころ台固定カラー２８が遊嵌され、スラスト方向のガタが押えられるようになっている。
【００２５】
又、前記槌側カップ２２の平坦部には、図４に拡大して示すように、複数のスリット（係合部）３０が放射状に形成されていると共に、前記カムころ台２６の対応する面には、図５に拡大して示すように、これらスリット３０のいずれにも選択的に嵌合（係合）可能な突起部（被係合部）３２が形成されている。
【００２６】
そして、図２に示される遊技機の通常動作時には、カムころ台２６を前記平坦部に接触させ、突起部３２をいずれかのスリット３０に嵌合させることにより、該カムころ台２６を、前記打球槌１６と共に槌側カップ２２と一体で回動可能となり、捻りコイルばね１８による付勢力を前記打球槌１６に作用させることが可能となっている。
【００２７】
又、この発射装置では、前記カムころ２４に当接し、カムころ台２６を回動させることにより、前記捻りコイルばね１８の付勢力に抗して前記打球槌１６を後退させ、所定位置で解放するカム３４が設置されている。
【００２８】
又、操作ハンドル９５の回動量を、該ハンドル９５の操作軸３６に固定された操作ギヤ３８、中間ギヤ４０、前記ハンドル側カップ２０の外周に形成された回動ギヤ２０Ａを介して伝達し、該ハンドル側カップ２０を前記捻りコイルばね１８の付勢力が強まる方向に回動させることにより、発射力の調整が行なわれる。
【００２９】
なお、図１で、符号４２は、遊技球Ｂを発射位置に静止させるための球静止装置、４４は球発射動作時の打球槌１６を停止させる打球槌ストッパ、４６は裏側のカム３４を矢印方向に回転させる打球槌駆動モータであり、図４で２２Ａは捻りコイルばね１８の端部を係止させる止め溝である。
【００３０】
以上の構成を有する本実施形態の遊技球発射装置において、（１）打球の発射動作、（２）ばね初期捻り角の調節方法について説明する。
【００３１】
（１）打球の発射動作
遊技者が操作ハンドル９５に接触することにより発生する発射信号を受けて、打球槌駆動モータ４６が回転すると、カム３４が図２の矢印方向に回転を繰返す。
【００３２】
このカム３４の回転は、カムころ２４を介してカムころ台２６及び槌側カップ２２を矢印方向に回動させることにより、回転軸１２の他端に固定されている打球槌１６を捻りコイルばね１８の付勢力に抗しつつ、該打球槌１６を後退させる。このように打球槌１６が所定の位置まで後退すると、カムころ２４がカム３４の最大径部から外れて解放された状態になる。
【００３３】
その結果、捻りコイルばね１８の付勢力により、打球槌１６が最大後退位置から勢い良く回動し、発射レール１４上の発射部にある遊技球Ｂを槌先部１６Ａで打撃することにより、該遊技球Ｂを飛び出させると共に、該打球槌１６は打球槌ストッパ４４に当たって止まる。
【００３４】
（２）ばね初期捻り角調節
槌側カップ２２を、捻りコイルばね１８による軸方向外側への反発力に抗してベースプレート１０側に押し、該ばね１８を圧縮可能な自由高さ分押し込むことにより、該槌側カップ２２とカムころ台２６との間を離間させ、スリット３０に対する突起部３２の嵌合を解除する。その状態で槌側カップ２２を回転させて捻り角を増減させ、その押し込みを解除することにより、所望の捻り角に相当するスリット３０に突起部３２を嵌合させることにより、捻りコイルばね１８の初期捻り角を調節する。
【００３５】
以上詳述した本実施形態によれば、遊技球の初期発射力の調節を、槌側カップ２２を押し込むだけで行なうことができるので、全く工具を用いる必要が無い。
【００３６】
又、捻りコイルばね１８を係止する槌側カップ２２の止め溝２２Ａが１箇所ですみ、しかも突起部３２が嵌合されるスリット３０との位置関係も確認し易いので、設定されている発射強度を簡単に把握できる。
【００３７】
更に、図４に示したように槌側カップ２２の回転方向と発射力の強弱の関係を視覚的に認識できるようにしたので、発射力の調整を間違った方向にすることを防止できる。
【００３８】
なお、槌側カップ２２とカムころ台２６の係合関係は、前記実施形態とは逆に、槌側カップ２２に複数の突起部を形成し、カムころ台２６に嵌合可能なスリット又は凹部を形成するようにしてもよい。
【００３９】
更に、係合部、被係合部の形状も、前記スリット、突起のように長尺状に限らず、丸や四角形等、任意の形状であってもよいことは言うまでもない。
【図面の簡単な説明】
【００４０】
【図１】本発明に係る一実施形態の遊技球発射装置を示す正面図
【図２】上記遊技球発射装置を示す背面図
【図３】上記遊技球発射装置の要部を示す分解斜視図
【図４】本実施形態の槌側カップの特徴を拡大して示す斜視図
【図５】本実施形態のカムころ台の特徴を拡大して示す斜視図
【図６】遊技球発射装置の外観を示す概略正面図
【図７】従来の遊技球発射装置を示す断面を含む正面図
【図８】従来の遊技球発射装置を示す斜視図
【図９】従来の遊技球発射装置を示す分解斜視図
【図１０】従来の遊技球発射装置を示す背面図
【符号の説明】
【００４１】
１０…ベースプレート
１２…回転軸
１４…発射レール
１６…打球槌
１６Ａ…槌先部
１８…捻りコイルばね
２０…ハンドル側カップ
２０Ａ…回動ギヤ
２２…槌側カップ
２４…カムころ
２６…カムころ台
３０…スリット（係合部）
３２…突起部（被係合部）
３４…カム
３６…操作軸
３８…操作ギヤ
４０…中間ギヤ
４２…球静止装置
４４…打球槌ストッパ
４６…打球槌駆動モータ
【図１】
2006198006.tif 000003
【図２】
2006198006.tif 000004
【図３】
2006198006.tif 000005
【図４】
2006198006.tif 000006
【図５】
2006198006.tif 000007
【図６】
2006198006.tif 000008
【図７】
2006198006.tif 000009
【図８】
2006198006.tif 000010
【図９】
2006198006.tif 000011
【図１０】
2006198006.tif 000012